(57)【要約】      （修正有）【課題】サンプリング対象が略均質で重量も小さな使用済みの粒子状の樹脂材料である点に着目し、サンプリングのための構造を簡素化して装置のコストを大幅に削減し、迅速正確なサンプリング動作を可能とし、またサンプリング対象の保存容器としても利用でき、しかも容易に製造できて故障も少ないサンプリング装置を提供する。【解決手段】可撓性チューブ１と、該可撓性チューブ内の先端部に配設した排気圧により開かれる常時閉型の逆止弁２と、該可撓性チューブの後端側に接続した気体給排手段とを備え、該可撓性チューブの先端部をサンプリング対象ＰＬの中に位置づけて前記気体給排手段を駆動し、吸引力で前記逆止弁を開くと共に可撓性チューブの先端からサンプリング対象を当該可撓性チューブ内に吸引し、前記サンプリング対象の所要量を吸引したら前記気体給排手段を止めて前記逆止弁を閉じ、前記可撓性チューブ内に前記サンプリング対象を取り込む。【選択図】図１
2018063139.tif 000002
【特許請求の範囲】
【請求項１】
所要長さの可撓性チューブと、該可撓性チューブ内の先端部に配設した排気圧により開かれる常時閉型の逆止弁と、前記可撓性チューブの後端側に接続した気体給排手段とを備えており、前記可撓性チューブの先端部をサンプリングすべき材料の中に位置づけて前記気体給排手段を排気側にして駆動し、前記排気側の吸引力で前記逆止弁を開くと共に可撓性チューブの先端からサンプリングすべき材料を当該可撓性チューブ内に吸引し、前記サンプリング材料の所要量を吸引したら前記気体給排手段を止めて前記逆止弁を閉じさせ前記可撓性チューブ内に前記サンプリングすべき材料を取り込むようにしたことを特徴とする使用済み樹脂材料のサンプリング装置。
【請求項２】
サンプリング材が取り込まれた可撓性チューブは、前記サンプリング材の保存容器として用いる請求項１の使用済み樹脂材料のサンプリング装置。
【請求項３】
サンプリング材が取り込まれた可撓性チューブの逆止弁は、手動で開放できるようにした請求項１又は２の使用済み樹脂材料のサンプリング装置。
【請求項４】
可撓性チューブに沿わせてファイバースコープ（内視鏡を含む）を分離可能に配設した請求項１〜３のいずれかの使用済み樹脂材料のサンプリング装置。
【請求項５】
ファイバースコープは先端部に照明部材と撮像部材を備えた請求項４の使用済み樹脂材料のサンプリング装置。
【発明の詳細な説明】
【技術分野】
【０００１】
本発明は、汚染物質を吸着するなどの処理に使用した粒子状の樹脂材料の所要量を密閉された保管容器から取出し、取り出した前記樹脂材料を低リスクで保存することもできるサンプリング装置に関する。
【背景技術】
【０００２】
従来から上記のような使用済み樹脂材料を保管容器から取出すサンプリング装置が知られている。
前記サンプリング装置は、樹脂材料という固形物のサンプリング装置ではあるものの、サンプリング対象物が固形物であるゆえに、対象物をサンプリング容器に取り込むための構造が複雑にならざるを得ないという問題がある。因みに、特許文献１〜３は、いずれも固形物のサンプリング装置であるが、いずれのサンプリング装置も機械的構造が複雑である。また、サンプリングして取り出したサンプリング対象物を保存するには、別途、保存容器を準備する必要があった。
【先行技術文献】
【特許文献】
【０００３】
【特許文献１】特開２０００−１８６８１０号公報
【特許文献２】特開２０１５−６８７６６号公報
【特許文献３】特公平７−１１６７０４号公報
【発明の概要】
【発明が解決しようとする課題】
【０００４】
そこで本発明は、従来の固形物のサンプリング装置が純機械的構成ゆえに構造が複雑にならざるを得ず、結果的に高額な装置になっていた点に鑑みると共に、この点に加え本発明のサンプリング対象の性状が略均質で重量も小さな使用済みの粒子状の樹脂材料である点に着目し、サンプリングのための構造を著しく簡素化して装置のコストを大幅に削減できることは勿論、簡潔な構造ゆえに迅速正確なサンプリング動作を可能とし、またサンプリングした樹脂材料の保存容器としても利用でき、しかも容易に製造できて故障も少ないサンプリング装置を提供することを、課題とする。
【課題を解決するための手段】
【０００５】
上記課題を解決することを目的としてなされた本発明サンプリング装置の構成は、
所要長さの可撓性チューブと、該可撓性チューブ内の先端部に配設した排気圧により開かれる常時閉型の逆止弁と、前記可撓性チューブの後端側に接続した気体給排手段とを備えており、前記可撓性チューブの先端部をサンプリングすべき材料の中に位置づけて前記気体給排手段を排気側にして駆動し、前記逆止弁を開くと共に可撓性チューブの先端からサンプリングすべき材料を当該可撓性チューブ内に吸引し、前記サンプリング材料の所要量を吸引したら前記気体給排手段を止めて前記逆止弁を閉じさせ前記可撓性チューブ内に前記サンプリングすべき材料を取り込むようにしたことを特徴とする。
【０００６】
本発明は上記構成において、前記可撓性チューブに沿わせてファイバースコープ（内視鏡を含む）を配設したサンプリング装置とすることができる。前記ファイバースコープは、一例として操作部、挿入部、先端部を備える。前記操作部は、可撓性チューブとファイバースコープの先端部の角度（向き）を変えるワイヤに繋がった角度操作ノブ、可撓性チューブの先端部から気体を、通常は空気を吸引又は排出するための給排操作ノブ、可撓性チューブの先端部の逆止弁を手動で操作する弁操作ノブなどを備え、手で握ることができる形態に設計されている。
【０００７】
可撓性チューブと一体的に配置されるファイバースコープの挿入部は、前記操作部と先端部の間に存在する部分である。このファイバースコープの挿入部の先端には、少なくとも対物レンズとＣＣＤ等による撮像素子を備えている。前記ファイバースコープの撮像素子はテレビモニタ等の画像モニタに接続され、前記可撓性チューブの後端部は気体（空気）の給排源に接続されている。なお、ファイバースコープの先端部には対物レンズを設け、後端部に接眼光学系を配設する構成もある。このファイバースコープには、照明系を一体的に設ける。前記可撓性チューブとファイバースコープとは、サンプリングの後に分離して可撓性チューブをサンプリング材の保存容器とすることができる。
【発明の効果】
【０００８】
本発明は、所要長さの可撓性チューブと、該可撓性チューブ内の先端部に配設した排気圧により開放される常時閉止タイプの逆止弁と、前記可撓性チューブの後端側に接続した気体給排手段とを備えてサンプリング装置に構成したから、きわめて安価な製造コストで作製，提供することができる。また、サンプリング動作は、気体の給排操作だけで行うから、迅速，正確なサンプリングが可能であり、サンプリング後の可撓性チューブは、サンプリング材の保存容器とすることができる。
【図面の簡単な説明】
【０００９】
【図１】本発明サンプリング装置の先端部を模式的に示した断面図。
【図２】本発明サンプリング装置の後端側の操作部を模式的に示した断面図。
【００１０】
図において、１は柔軟な可撓性チューブで、内径は約１０ｍｍ前後、チューブ１の長さは、サンプリングすべき樹脂材料の貯留場所（保存容器）からサンプリングした材料の必要な測定などを行う処理場所までの距離をまかなえる長さ、例えば５ｍ〜２０ｍ程度である。本発明において前記チューブの内径や長さの数値は一例であって、本発明はこれらの数値に限られるものではない。
【００１１】
２は、前記可撓性チューブ１の先端部１ａの内部に設けた当該チューブ１の内部を開閉するためにバネにより常時閉タイプにした逆止弁である。２ａは、前記逆止弁２の根元部を、常時弁閉じとするためのバネを備えて枢着した弁枢着部、２ｂはバネ力で閉じられる逆止弁２の弁座、２ｃは当該逆止弁２を手動で開閉操作するための手動操作ワイヤＷの先端の結合部である。手動操作ワイヤＷの後端は、後述する操作部Ｈの弁操作ノブｈ１に手動・自動の切換ボタンｃ１を介して結合され、逆止弁２の手動開閉操作とバネ力閉動作（排気力開動作）が選択できるように形成されている。
【００１２】
上記逆止弁２は、可撓性チューブ１に操作部Ｈにおいて連結された空気給排機構ＰＡが排気側（図の実線矢印）にあるとき、その排気吸引力で弁枢着部２ａにおいて起立させられ、可撓性チューブ１の先端部１ａを開放する。
一方、前記給排機構ＰＡの排気が停止すると前記逆止弁２はバネ力で弁座２ｂの側に倒れ、可撓性チューブ１の先端部１ａを閉じる。
【００１３】
本発明サンプリング装置では、前記逆止弁２が排気圧でバネ力に打ち勝って起立しているとき、つまり、可撓性チューブの先端側から後端側に向かって吸引力が作用しているとき、当該可撓性チューブ１の先端部１ａを、サンプリングすべき、例えば使用済み樹脂材料ＰＬ（以下、サンプリング材ＰＬともいう）の中に挿し込んでおくと、この樹脂材料ＰＬが可撓性チューブ１の内部に吸引される。この動作が本発明サンプリング装置のサンプリング動作になる。
【００１４】
前記樹脂材料ＰＬのサンプリング量は、可撓性チューブ１の内径が判っているから、別の場所でモデルサンプリング材を用いて空気給排機構ＰＡの排気動作の時間当たり能力を予め検出し、この検出値を基準値として持っておけば、いつでも所望する定量のサンプリング材ＰＬを可撓性チューブ１の内部に吸引することができる。
【００１５】
上記のようにして所要定量のサンプリング量を可撓性チューブ１の内部に吸引したら、空気給排機構ＰＡの排気動作を停める。空気給排機構ＰＡが停止すると、チューブ内に作用していた排気力が無くなるから、逆止弁２はバネ力で閉止位置に戻る。
サンプリング材ＰＬが収容された可撓性チューブ１は、当該チューブ自体を前記サンプリング材ＰＬの保存容器として取り扱うことができる。因みに、使用済み樹脂材料ＰＬはある程度放射線量が高いので、サンプリングした樹脂材料をペットボトルのような纏まった形態の容器に保存すると被曝リスクが高い。しかし本発明の可撓性チューブ１のように細長い容器に細長く分散した形で収容すると被曝リスクは低い。
【００１６】
サンプリング動作を止めるとき、空気給排機構ＰＡを操作部Ｈの切換操作ノブｈ２で、一瞬、給気側に切換えてもよい。可撓性チューブ１内に一瞬給気が送り込まれると、吸引していたサンプリング材は、一瞬だけ当該チューブ１の先端部１ａに向け僅かに移動するが、逆止弁２がバネ力で先端部１ａを閉鎖する側に直ちに倒れ込んでいるから、吸引していたサンプリング材ＰＬがチューブ１の外に出ることはほぼない。
【００１７】
逆止弁２が閉じられると、サンプリング材ＰＬをチューブ内に保持している可撓性チューブ１は、サンプリング材ＰＬの中に挿し込んでいた先端部１ａを抜去して所要場所に移し、そこで切換えボタンＣ1を押して前記逆止弁２を手動ノブｈ１を操作して開けると、空気給排機構ＰＡからの給気を前記チューブ１の内部に送り込んでチューブ内に吸引して取込んだサンプリング材ＰＬを、外部に出すことができる。
外部に出されたサンプリング材ＰＬは、その外部や他の場所で必要な項目について測定等を行う。この測定結果によって、サンプリングした材料ＰＬ（使用済み樹脂ＰＬ）の保存タンクＴの中の全体の樹脂ＰＬの取扱いが判断される。
【００１８】
本発明では、排気力で吸引してチューブ内に取り込んだサンプリング材ＰＬを、そのまま可撓性チューブ内に収めて置き、当該チューブ1を前記サンプリング材ＰＬの保存容器とすることができる。細長い可撓性チューブ１の内部に細長く分散して収容された使用済み樹脂材料ＰＬは、被曝リスクを低く抑えることができる。
【００１９】
上述の本発明サンプリング装置は、建物内や建物と建物の間の長い配管の中を通して使用済み樹脂が貯留されている保存タンクＴ内に、前記可撓性チューブ１を送り込まなければならない。
【００２０】
しかし、前記配管の内部は真っ暗であり、また複数箇所で曲がっているため、可撓性チューブ１の先端部１ａをきちんと保存タンクＴに向けて進行させ当該タンクＴの内部に導入するには困難を伴う。
【００２１】
そこで本発明では、可撓性チューブ１にファイバースコープＦを沿わせ当該チューブ１と分離可能に一体化して付設し、このファイバースコープＦの先端部Ｆ１に、光放射部Ｃａと撮像素子Ｃｄを配置し、これらの光放射部Ｃａと撮像素子Ｃｄの電源部と制御部ＡＤを一例として当該ファイバースコープＦの後端部Ｆ２に接続するようにしている。前記電源部と制御部ＡＤは、図では操作部Ｈの内部に配置したが、別の場所に配置してもよい。
上記構成により、真っ暗な配管内を、ファイバースコープＦの照明と先端部Ｆ１の前方の撮像に基づき、可撓性チューブ１の先端部１ａとファイバースコープＦの先端部Ｆ１とを、前記配管に沿って進行させることができる。すなわち、必要な場所で操作部Ｈの首振りノブｈ３を左右に回し乍ら、進行方向を曲げて適切に配管内を進行させることができる。
【００２２】
本発明は以上の通りであって、使用済み樹脂材料のサンプリング装置を、構造を著しく簡素化して装置のコストを大幅に削減でき、また簡潔な構造ゆえに迅速で正確なサンプリング動作が可能になり、また可撓性チューブはサンプリング材の保存容器として用いることができ、更には容易に製造できて故障も少ないサンプリング装置を提供することができる。
【符号の説明】
【００２３】
１  可撓性チューブ
２  １ａ  可撓性チューブの先端部
２  逆止弁
２ａ  弁枢着部
２ｂ  弁座
Ｈ  操作部
ＰＡ  空気吸排機構
ＰＬ  サンプリング材（使用済み樹脂材）
Ｔ  貯留タンク
【図１】
2018063139.tif 000003
【図２】
2018063139.tif 000004